(57)【要約】【課題】  端末間で画像等のデータの授受をリアルタイムに行うことが可能なデータ配信システムを提供する。【解決手段】  受信端末３のユーザがデータ配信サービスを受けたい場合、受信端末３は移動体パケット網２００、ＧＧＳＮ２を介してサーバ装置１に接続し、契約ＩＤやパスワードを配信開始要求とともにサーバ装置１に送信する。サーバ装置１は受信した契約ＩＤやパスワードを用いて受信端末３のユーザの認証を行い、一致すると、登録した受信端末３やデータ配信装置４の電話番号を検索する。サーバ装置１は検索された電話番号を基に配信開始要求を含むショートメッセージを電話網２００を介してデータ配信装置４に送信する。データ配信装置４はショートメッセージを解析し、サーバ装置１のグローバルＩＰアドレスを得ると、移動体パケット網１００、ＧＧＳＮ２を介してサーバ装置１に接続する。【選択図】      図１                                                  
2005094067.tif 000002
【特許請求の範囲】
【請求項１】
移動体パケット網に接続されるサーバ装置とデータ配信装置と受信端末とにおいて、前記データ配信装置から前記受信端末へのデータ配信を行うデータ配信システムであって、
前記データ配信装置の電話番号に基づいてメッセージの送受信が可能なメッセージ通知媒体にて前記受信端末からの配信開始要求を前記データ配信装置に通知する手段を前記サーバ装置に有し、
前記データ配信装置及び前記受信端末各々を前記移動体パケット網を介して前記サーバ装置に接続し、前記データ配信装置からのデータを前記サーバ装置を介して前記受信端末にリアルタイムに配信することを特徴とするデータ配信システム。
【請求項２】
前記メッセージ通知媒体として、少なくともショートメッセージサービスとＭＭＳ（Ｍｕｌｔｉｍｅｄｉａ  Ｍｅｓｓａｇｉｎｇ  Ｓｅｒｖｉｃｅ）と電子メールサービスとのいずれかを用いることを特徴とする請求項１記載のデータ配信システム。
【請求項３】
前記メッセージ通知媒体によるメッセージを解析して前記サーバ装置のアドレス情報を取得する手段を前記データ配信装置に含み、その取得したアドレス情報を基に前記データ配信装置が前記移動体パケット網を介して前記サーバ装置に接続することを特徴とする請求項１または請求項２記載のデータ配信システム。
【請求項４】
前記アドレス情報は、グローバルＩＰ（Ｉｎｔｅｒｎｅｔ  Ｐｒｏｔｏｃｏｌ）アドレスであることを特徴とする請求項３記載のデータ配信システム。
【請求項５】
前記サーバ装置から前記受信端末に予め通知する契約ＩＤ及びパスワードを用いて前記受信端末のユーザ認証を行うことを特徴とする請求項１から請求項４のいずれか記載のデータ配信システム。
【請求項６】
前記サーバ装置が前記ユーザ認証を行うことを特徴とする請求項５記載のデータ配信システム。
【請求項７】
前記データ配信装置が前記ユーザ認証を行うことを特徴とする請求項５記載のデータ配信システム。
【請求項８】
前記データ配信装置は、少なくとも映像配信、静止画配信、音声配信、測定データ配信、テキストデータ配信のうちのいずれかを行うことを特徴とする請求項１から請求項７のいずれか記載のデータ配信システム。
【請求項９】
データ配信装置及び受信端末とともに移動体パケット網に接続されるサーバ装置であって、
前記データ配信装置の電話番号に基づいてメッセージの送受信が可能なメッセージ通知媒体にて前記受信端末からの配信開始要求を前記データ配信装置に通知する手段を有し、
前記データ配信装置及び前記受信端末各々を前記移動体パケット網を介して自装置に接続され、前記データ配信装置からのデータを自装置を介して前記受信端末にリアルタイムに配信することを特徴とするサーバ装置。
【請求項１０】
前記メッセージ通知媒体として、少なくともショートメッセージサービスとＭＭＳ（Ｍｕｌｔｉｍｅｄｉａ  Ｍｅｓｓａｇｉｎｇ  Ｓｅｒｖｉｃｅ）と電子メールサービスとのいずれかを用いることを特徴とする請求項９記載のサーバ装置。
【請求項１１】
前記データ配信装置が前記移動体パケット網を介して自装置に接続するためのアドレス情報を前記メッセージ通知媒体によるメッセージに付加して送信することを特徴とする請求項９または請求項１０記載のサーバ装置。
【請求項１２】
前記アドレス情報は、グローバルＩＰ（Ｉｎｔｅｒｎｅｔ  Ｐｒｏｔｏｃｏｌ）アドレスであることを特徴とする請求項１１記載のサーバ装置。
【請求項１３】
自装置から前記受信端末に予め通知する契約ＩＤ及びパスワードを用いて前記受信端末のユーザ認証を行うことを特徴とする請求項９から請求項１２のいずれか記載のサーバ装置。
【請求項１４】
前記データ配信装置が、少なくとも映像配信、静止画配信、音声配信、測定データ配信、テキストデータ配信のうちのいずれかを行うことを特徴とする請求項９から請求項１３のいずれか記載のサーバ装置。
【請求項１５】
サーバ装置及び受信端末とともに移動体パケット網に接続され、前記受信端末へのデータ配信を行うデータ配信装置であって、
自装置の電話番号に基づいてメッセージの送受信が可能なメッセージ通知媒体にて前記受信端末からの配信開始要求が前記サーバ装置から通知された時に前記メッセージ通知媒体によるメッセージを解析して前記サーバ装置のアドレス情報を取得する手段を有し、
その取得したアドレス情報を基に前記移動体パケット網を介して前記サーバ装置に接続し、前記サーバ装置を介して前記受信端末に前記データをリアルタイムに配信することを特徴とするデータ配信装置。
【請求項１６】
前記メッセージ通知媒体として、少なくともショートメッセージサービスとＭＭＳ（Ｍｕｌｔｉｍｅｄｉａ  Ｍｅｓｓａｇｉｎｇ  Ｓｅｒｖｉｃｅ）と電子メールサービスとのいずれかを用いることを特徴とする請求項１５記載のデータ配信装置。
【請求項１７】
前記アドレス情報は、グローバルＩＰ（Ｉｎｔｅｒｎｅｔ  Ｐｒｏｔｏｃｏｌ）アドレスであることを特徴とする請求項１５または請求項１６記載のデータ配信装置。
【請求項１８】
前記サーバ装置から前記受信端末に予め通知する契約ＩＤ及びパスワードを用いて前記受信端末のユーザ認証を行うことを特徴とする請求項１５から請求項１７のいずれか記載のデータ配信装置。
【請求項１９】
少なくとも映像配信、静止画配信、音声配信、測定データ配信、テキストデータ配信のうちのいずれかを行うことを特徴とする請求項１５から請求項１８のいずれか記載のデータ配信装置。
【請求項２０】
移動体パケット網に接続されるサーバ装置とデータ配信装置と受信端末とにおいて、前記データ配信装置から前記受信端末へのデータ配信を行うデータ配信方法であって、前記サーバ装置側に、前記データ配信装置の電話番号に基づいてメッセージの送受信が可能なメッセージ通知媒体にて前記受信端末からの配信開始要求を前記データ配信装置に通知するステップを有し、前記データ配信装置及び前記受信端末各々を前記移動体パケット網を介して前記サーバ装置に接続し、前記データ配信装置からのデータを前記サーバ装置を介して前記受信端末にリアルタイムに配信することを特徴とするデータ配信方法。
【請求項２１】
前記メッセージ通知媒体として、少なくともショートメッセージサービスとＭＭＳ（Ｍｕｌｔｉｍｅｄｉａ  Ｍｅｓｓａｇｉｎｇ  Ｓｅｒｖｉｃｅ）と電子メールサービスとのいずれかを用いることを特徴とする請求項２０記載のデータ配信方法。
【請求項２２】
前記データ配信装置側に、前記メッセージ通知媒体によるメッセージを解析して前記サーバ装置のアドレス情報を取得するステップを含み、その取得したアドレス情報を基に前記データ配信装置が前記移動体パケット網を介して前記サーバ装置に接続することを特徴とする請求項２０または請求項２１記載のデータ配信方法。
【請求項２３】
前記アドレス情報は、グローバルＩＰ（Ｉｎｔｅｒｎｅｔ  Ｐｒｏｔｏｃｏｌ）アドレスであることを特徴とする請求項２２記載のデータ配信方法。
【請求項２４】
前記サーバ装置から前記受信端末に予め通知する契約ＩＤ及びパスワードを用いて前記受信端末のユーザ認証を行うことを特徴とする請求項２０から請求項２３のいずれか記載のデータ配信方法。
【請求項２５】
前記サーバ装置が前記ユーザ認証を行うことを特徴とする請求項２４記載のデータ配信方法。
【請求項２６】
前記データ配信装置が前記ユーザ認証を行うことを特徴とする請求項２４記載のデータ配信方法。
【請求項２７】
前記データ配信装置が、少なくとも映像配信、静止画配信、音声配信、測定データ配信、テキストデータ配信のうちのいずれかを行うことを特徴とする請求項２０から請求項２６のいずれか記載のデータ配信方法。
【請求項２８】
移動体パケット網に接続されるサーバ装置とデータ配信装置と受信端末とにおいて、前記データ配信装置から前記受信端末へのデータ配信を行うデータ配信方法のプログラムであって、前記サーバ装置のコンピュータに、前記データ配信装置の電話番号に基づいてメッセージの送受信が可能なメッセージ通知媒体にて前記受信端末からの配信開始要求を前記データ配信装置に通知する処理を行わせ、前記データ配信装置及び前記受信端末各々を前記移動体パケット網を介して前記サーバ装置に接続させ、前記データ配信装置からのデータを前記サーバ装置を介して前記受信端末にリアルタイムに配信させるためのプログラム。
【請求項２９】
移動体パケット網に接続されるサーバ装置とデータ配信装置と受信端末とにおいて、前記データ配信装置から前記受信端末へのデータ配信を行うデータ配信方法のプログラムであって、前記データ配信装置のコンピュータに、前記データ配信装置の電話番号に基づいてメッセージの送受信が可能なメッセージ通知媒体にて前記受信端末からの配信開始要求が通知された時に前記メッセージ通知媒体によるメッセージを解析して前記サーバ装置のアドレス情報を取得する処理を行わせ、その取得したアドレス情報を基に前記データ配信装置を前記移動体パケット網を介して前記サーバ装置に接続させ、前記データ配信装置から前記サーバ装置を介して前記受信端末に前記データをリアルタイムに配信させるためのプログラム。
【発明の詳細な説明】
【技術分野】
【０００１】
本発明はデータ配信システム、サーバ装置、データ配信装置及びそれらに用いるデータ配信方法並びにそのプログラムに関し、特に移動体通信方式を用いる受信端末への映像等のデータ配信に関する。
【背景技術】
【０００２】
近年、移動体通信方式を用いる受信端末においては、情報機器の進展に伴って、静止画や動画像等の各種画像を受信可能とする環境が整ってきている。例えば、携帯電話機においては、移動体パケット網の整備に伴って、動画像の配信も視野に入ってきている。
【０００３】
この場合、移動体パケット網は、第２世代において、ＰＤＣ−Ｐ（Ｐｅｒｓｏｎａｌ  Ｄｉｇｉｔａｌ  Ｃｅｌｌｕｌａｒ−Ｐａｃｋｅｔ）やＣＤＰＤ（Ｃｅｌｌｕｌａｒ  Ｄｉｇｉｔａｌ  Ｐａｃｋｅｔ  Ｄａｔａ）、及びＧＰＲＳ（Ｇｅｎｅｒａｌ  Ｐａｃｋｅｔ  Ｒａｄｉｏ  Ｓｅｒｖｉｃｅ）として実現され、第３世代のＩＭＴ−２０００（Ｉｎｔｅｒｎａｔｉｏｎａｌ  Ｍｏｂｉｌｅ  Ｔｅｌｅｃｏｍｍｕｎｉｃａｔｉｏｎｓ−２０００）においてもパケット交換機能［ＰＤＳＮ（Ｐａｃｋｅｔ  Ｄａｔａ  Ｓｅｒｖｉｃｅ  Ｎｏｄｅ）／ＰＤＧＮ（Ｐａｃｋｅｔ  Ｄａｔａ  Ｇａｔａｗａｙ  Ｎｏｄｅ）］が定義されている。
【０００４】
上記の移動体パケット網において各種画像を配信する場合には、携帯端末等からの要求に応答してサーバに蓄積された画像が提供される方法が提案されている。この場合、例えば携帯電話機の場合には、その携帯電話機が収容されている移動体電話網に接続されたゲートウェイサーバがインタネットや専用線にて画像配信サーバに接続することで、画像配信サーバから携帯電話機へと画像が配信される（例えば、特許文献１，２参照）。
【０００５】
【特許文献１】特開２００１−２５７８６８号公報
【特許文献２】特開２００３−３７８３６号公報
【発明の開示】
【発明が解決しようとする課題】
【０００６】
上述した従来の移動体パケット網では、画像を配信するサービスを行う場合、配信先に動的に付与されたＩＰ（Ｉｎｔｅｒｎｅｔ  Ｐｒｏｔｏｃｏｌ）アドレスを用い、そのＩＰアドレス宛に画像が配信されるのが一般的である。
【０００７】
したがって、従来の移動体パケット網では、その通信網にそれぞれ接続された端末（固定の情報端末、移動可能な携帯端末）間で画像等のデータの授受を行おうとすると、その授受される画像等のデータをサーバ等に一旦蓄積しなければならず、端末間で画像等のデータの授受をリアルタイムに行うことができない。
【０００８】
そこで、本発明の目的は上記の問題点を解消し、端末間で画像等のデータの授受をリアルタイムに行うことができるデータ配信システム、サーバ装置、データ配信装置及びそれらに用いるデータ配信方法並びにそのプログラムを提供することにある。
【課題を解決するための手段】
【０００９】
本発明によるデータ配信システムは、移動体パケット網に接続されるサーバ装置とデータ配信装置と受信端末とにおいて、前記データ配信装置から前記受信端末へのデータ配信を行うデータ配信システムであって、
前記データ配信装置の電話番号に基づいてメッセージの送受信が可能なメッセージ通知媒体にて前記受信端末からの配信開始要求を前記データ配信装置に通知する手段を前記サーバ装置に備え、
前記データ配信装置及び前記受信端末各々を前記移動体パケット網を介して前記サーバ装置に接続し、前記データ配信装置からのデータを前記サーバ装置を介して前記受信端末にリアルタイムに配信している。
【００１０】
本発明によるサーバ装置は、データ配信装置及び受信端末とともに移動体パケット網に接続されるサーバ装置であって、
前記データ配信装置の電話番号に基づいてメッセージの送受信が可能なメッセージ通知媒体にて前記受信端末からの配信開始要求を前記データ配信装置に通知する手段を備え、
前記データ配信装置及び前記受信端末各々を前記移動体パケット網を介して自装置に接続され、前記データ配信装置からのデータを自装置を介して前記受信端末にリアルタイムに配信している。
【００１１】
本発明によるデータ配信装置は、サーバ装置及び受信端末とともに移動体パケット網に接続され、前記受信端末へのデータ配信を行うデータ配信装置であって、
自装置の電話番号に基づいてメッセージの送受信が可能なメッセージ通知媒体にて前記受信端末からの配信開始要求が前記サーバ装置から通知された時に前記メッセージ通知媒体によるメッセージを解析して前記サーバ装置のアドレス情報を取得する手段を備え、
その取得したアドレス情報を基に前記移動体パケット網を介して前記サーバ装置に接続し、前記サーバ装置を介して前記受信端末に前記データをリアルタイムに配信している。
【００１２】
本発明によるデータ配信方法は、移動体パケット網に接続されるサーバ装置とデータ配信装置と受信端末とにおいて、前記データ配信装置から前記受信端末へのデータ配信を行うデータ配信方法であって、前記サーバ装置側に、前記データ配信装置の電話番号に基づいてメッセージの送受信が可能なメッセージ通知媒体にて前記受信端末からの配信開始要求を前記データ配信装置に通知するステップを備え、前記データ配信装置及び前記受信端末各々を前記移動体パケット網を介して前記サーバ装置に接続し、前記データ配信装置からのデータを前記サーバ装置を介して前記受信端末にリアルタイムに配信している。
【００１３】
本発明によるデータ配信方法のプログラムは、移動体パケット網に接続されるサーバ装置とデータ配信装置と受信端末とにおいて、前記データ配信装置から前記受信端末へのデータ配信を行うデータ配信方法のプログラムであって、前記サーバ装置のコンピュータに、前記データ配信装置の電話番号に基づいてメッセージの送受信が可能なメッセージ通知媒体にて前記受信端末からの配信開始要求を前記データ配信装置に通知する処理を行わせ、前記データ配信装置及び前記受信端末各々を前記移動体パケット網を介して前記サーバ装置に接続させ、前記データ配信装置からのデータを前記サーバ装置を介して前記受信端末にリアルタイムに配信させている。
【００１４】
本発明による他のデータ配信方法のプログラムは、移動体パケット網に接続されるサーバ装置とデータ配信装置と受信端末とにおいて、前記データ配信装置から前記受信端末へのデータ配信を行うデータ配信方法のプログラムであって、前記データ配信装置のコンピュータに、前記データ配信装置の電話番号に基づいてメッセージの送受信が可能なメッセージ通知媒体にて前記受信端末からの配信開始要求が前記サーバ装置から通知された時に前記メッセージ通知媒体によるメッセージを解析して前記サーバ装置のアドレス情報を取得する処理を行わせ、その取得したアドレス情報を基に前記データ配信装置を前記移動体パケット網を介して前記サーバ装置に接続させ、前記データ配信装置から前記サーバ装置を介して前記受信端末に前記データをリアルタイムに配信させている。
【００１５】
すなわち、本発明のデータ配信システムは、受信端末からの配信開始要求に応答してその配信開始要求を、データ配信装置の電話番号を基にショートメッセージサービス［これ以外に、ＭＭＳ（Ｍｕｌｔｉｍｅｄｉａ  Ｍｅｓｓａｇｉｎｇ  Ｓｅｒｖｉｃｅ）や電子メールサービス等も可能］にてデータ配信装置に送り、データ配信装置にてショートメッセージ内のグローバルＩＰ（Ｉｎｔｅｒｎｅｔ  Ｐｒｏｔｏｃｏｌ）アドレスを基にサーバ装置に接続し、移動体パケット網において受信端末とデータ配信装置とをサーバ装置を介して接続している。
【００１６】
上記の構成とすることで、本発明のデータ配信システムでは、データ配信装置からのデータをサーバ装置が蓄積することなく、そのまま受信端末に中継することができるため、受信端末とデータ配信装置との間で画像等のデータの授受をリアルタイムに行うことが可能となる。
【００１７】
また、本発明のデータ配信システムでは、サーバ装置から受信端末に予め通知された契約ＩＤやパスワードを用いて受信端末のユーザの認証を行うことで、正当な受信端末に対してのみ画像等のデータをリアルタイム配信することが可能となる。
【発明の効果】
【００１８】
本発明は、以下に述べるような構成及び動作とすることで、端末間で画像等のデータの授受をリアルタイムに行うことができるという効果が得られる。
【発明を実施するための最良の形態】
【００１９】
次に、本発明の実施の形態について図面を参照して説明する。図１は本発明の実施の形態によるデータ配信システムの構成を示すブロック図である。図１において、本発明の実施の形態によるデータ配信システムは移動体パケット網１００にＧＧＳＮ［Ｇａｔｅｗａｙ  ＧＰＲＳ（Ｇｅｎｅｒａｌ  Ｐａｃｋｅｔ  Ｒａｄｉｏ  Ｓｅｒｖｉｃｅ）  Ｓｕｐｐｏｒｔ  Ｎｏｄｅ］２を介して接続されかつ電話網（有線または無線）２００に接続されるサーバ装置１と、移動体パケット網１００に無線にて接続可能な受信端末３及びデータ配信装置４とから構成されており、データ配信装置４は電話網２００にも接続可能となっている。
【００２０】
受信端末３としては、固定のＰＣ（パーソナルコンピュータ）、移動可能なＰＤＡ（Ｐｅｒｓｏｎａｌ  Ｄｉｇｉｔａｌ  Ａｓｓｉｓｔａｎｔ）や携帯電話機等が考えられ、データ配信装置４としては、画像配信、音声配信、測定データ配信、テキストデータ配信等を行う装置が考えられる。
【００２１】
これら受信端末３やデータ配信装置４には予め電話番号が付与されているが、移動体パケット網１００を介してサーバ装置１に接続する場合に、ＧＧＳＮ２にて動的にＩＰ（Ｉｎｔｅｒｎｅｔ  Ｐｒｏｔｏｃｏｌ）アドレスが付与される。尚、サーバ装置１は、図１に示すように、ＧＧＳＮ２に直接接続することも、また図示していないが、インタネット網（図示せず）を介して接続することも可能である。
【００２２】
図２は図１のサーバ装置１の構成を示すブロック図である。図２において、サーバ装置１はデータ配信装置４からの配信データを受信端末３に中継するデータ中継部１１と、データ配信装置４からのデータ配信（認証も含む）を管理する配信管理部１２と、ショートメッセージを送信するＳＭＳ（Ｓｈｏｒｔ  Ｍｅｓｓａｇｅ  Ｓｅｒｖｉｃｅ）送信部１３と、サーバ装置１で実行するプログラム（コンピュータで実行可能なプログラム）を格納する記録媒体１４とから構成されている。
【００２３】
図３は図１の受信端末３の構成を示すブロック図である。図３において、受信端末３は移動体パケット網１００を介してパケットの授受を行う移動体網用ドライバ３１と、受信したパケットからデータを再構築するデータ受信部３２と、再構築されたデータに対して処理（例えば、再生処理等）を行うデータ処理部３３と、移動体パケット網１００との間の接続／切断を行うＧＰＲＳ接続／切断部３４とから構成されている。
【００２４】
図４は図１のデータ配信装置４の構成を示すブロック図である。図４において、データ配信装置４は移動体パケット網１００や電話網２００を介してデータの授受を行う移動体網用ドライバ４１と、電話網２００を介して受取ったショートメッセージの解析を行うＳＭＳ解析部４２と、データ配信部４４から提供されるデータをサーバ装置１に送信するデータ送信部４３と、受信端末３に配信するデータの取得や生成、及び蓄積等を行うデータ配信部４４と、移動体パケット網１００との間の接続／切断を行うＧＰＲＳ接続／切断部４５と、データ配信装置４で実行するプログラム（コンピュータで実行可能なプログラム）を格納する記録媒体４６とから構成されている。
【００２５】
これら図１〜図４を参照して本発明の実施の形態によるデータ配信システムの動作について説明する。以下、受信端末３からの要求に応答してサーバ装置１が受信端末３とデータ配信装置４とをピアツーピア接続する場合の動作について述べる。
【００２６】
受信端末３がデータ配信装置４からのデータ配信サービスを受けるために端末間で接続する場合（ピアツーピア接続）、まず、サーバ装置１には受信端末３やデータ配信装置４の電話番号が登録される。この時、サーバ装置１は受信端末３の電話番号に対応する契約ＩＤ（識別情報）やパスワードを生成して受信端末３のユーザに紙媒体等によって通知する。
【００２７】
受信端末３のユーザがデータ配信装置４からデータ配信サービスを受けたい場合、受信端末３は移動体パケット網２００及びＧＧＳＮ２を介してサーバ装置１に接続する。この場合、サーバ装置１には予めグローバルＩＰアドレスが付与されているので、受信端末３はそのグローバルＩＰアドレスを基にサーバ装置１への接続を行う。
【００２８】
受信端末３はサーバ装置１に接続され、ユーザによって契約ＩＤやパスワードが入力されると、それら契約ＩＤやパスワードを配信開始要求とともにサーバ装置１に送信する。サーバ装置１では配信管理部１２が受信端末３から受信した契約ＩＤやパスワードを用いて認証を行い、契約ＩＤやパスワードが予め蓄積された情報と一致すると、登録した受信端末３やデータ配信装置４の電話番号を検索する。
【００２９】
サーバ装置１は検索された電話番号を基に配信開始要求を含むショートメッセージをＳＭＳ送信部１３から電話網２００を介してデータ配信装置４に送信する。尚、ショートメッセージにはサーバ装置１のグローバルＩＰアドレスが付加されている。
【００３０】
データ配信装置４はサーバ装置１からショートメッセージを受信すると、そのショートメッセージをファイルへ保存するとともに、ＳＭＳ解析部４２にてショートメッセージを解析し、上記の配信開始要求及びサーバ装置１のグローバルＩＰアドレスを得る。データ配信装置４はサーバ装置１のグローバルＩＰアドレスを基に移動体パケット網１００及びＧＧＳＮ２を介してサーバ装置１に接続する。データ配信装置４はサーバ装置１との接続後、配信開始受付をサーバ装置１に送信する。
【００３１】
サーバ装置１はデータ配信装置４から配信開始受付を受信すると、配信開始応答を受信端末３に送信する。この後、サーバ装置１ではデータ中継部１１が配信管理部１２の情報を基に、データ配信装置４からのデータを受信端末３に中継するので、受信端末３とデータ配信装置４と間はサーバ装置１を介してピアツーピア接続された状態となる。
【００３２】
このように、本発明の実施の形態では、新規に通信回線を構築することなく、既存の移動体パケット網１００を利用したデータ（映像、音声、測定データ、テキストデータ等）のリアルタイム配信を行うことができる。つまり、本発明の実施の形態では、端末間で画像等のデータの授受をリアルタイムに行うことができる。
【００３３】
これによって、本発明の実施の形態では、新規に通信回線を構築する必要がないので、コストの削減を図ることができる。よって、本発明の実施の形態では、受信端末３をＰＤＡや携帯電話機等とすることで、場所を選ぶことなく、映像の受信や遠隔監視が可能となる。
【実施例１】
【００３４】
次に、本発明の一実施例について図面を参照して説明する。図５は本発明の一実施例による映像配信システムの構成を示すブロック図である。図５において、本発明の一実施例による映像配信システムはサーバ装置１をＰ２ＰＧＷ（Ｐｅｅｒ  ｔｏ  Ｐｅｅｒ  Ｇａｔａｗａｙ）５とし、データ配信装置４を映像配信装置６とした以外は図１に示す本発明の実施の形態によるデータ配信システムの構成と同様の構成となっている。尚、Ｐ２ＰＧＷ５は図２に示すサーバ装置１と同様の構成となっているので、その構成の説明は省略する。
【００３５】
図６は図５の受信端末３の構成を示すブロック図である。図６において、受信端末３はデータ処理部３３としてデコーダ３５を配置し、ディスプレイ３６を追加した以外は図３に示す本発明の実施の形態による受信端末３と同様の構成となっており、同一構成要素には同一符号を付してある。また、その同一構成要素の動作は本発明の実施の形態と同様である。
【００３６】
デコーダ３５はデータ受信部３２で受信した映像をデコードしてディスプレイ３６に送り、その映像をディスプレイ３６に表示する。尚、受信端末３がＳＩＭカード（Ｓｕｂｓｃｒｉｂｅｒ  Ｉｄｅｎｔｉｔｙ  Ｍｏｄｕｌｅ  Ｃａｒｄ）を用いて移動体パケット網１００を含む移動体通信網を利用する場合には、デコーダ３５はＳＩＭカード内に配設してもよい。
【００３７】
図７は図５の映像配信装置６の構成を示すブロック図である。図７において、映像配信装置６はデータ配信部４４としてカメラ６１とエンコーダ６２とを配置した以外は図４に示す本発明の実施の形態によるデータ配信装置４と同様の構成となっており、同一構成要素には同一符号を付してある。また、その同一構成要素の動作は本発明の実施の形態と同様である。
【００３８】
カメラ６１は撮影した画像をエンコーダ６２に送り、エンコーダ６２でその画像のエンコードを行う。尚、カメラ６１は受信端末３と映像配信装置６とがピアツーピア接続された後、受信端末３からの指示信号を基に撮影角度やズーム等がコントロールされる。
【００３９】
図８は本発明の一実施例による映像配信システムの動作を示すシーケンスチャートである。これら図５〜図８を参照して本発明の一実施例による映像配信システムの動作について説明する。
【００４０】
以下、受信端末３からの要求に応答してＰ２ＰＧＷ５が受信端末３と映像配信装置６とをピアツーピア接続する場合の動作について述べる。尚、図８に示す動作はＰ２ＰＧＷ５及び映像配信装置６が記録媒体１４，４６に格納されたプログラムを実行することで実現される。
【００４１】
受信端末３が映像配信装置６からの映像配信サービスを受けるために端末間で接続する場合（ピアツーピア接続）、まず、Ｐ２ＰＧＷ５には受信端末３や映像配信装置６の電話番号が登録される（図８のａ１）。この時、Ｐ２ＰＧＷ５は受信端末３の電話番号に対応する契約ＩＤ（識別情報）やパスワードを生成して受信端末３のユーザに紙媒体等によって通知する（図８のａ２）。
【００４２】
受信端末３のユーザが映像配信装置６から映像配信サービスを受けたい場合、受信端末３は移動体パケット網２００及びＧＧＳＮ２を介してＰ２ＰＧＷ５に接続する。この場合、Ｐ２ＰＧＷ５には予めグローバルＩＰアドレスが付与されているので、受信端末３はそのグローバルＩＰアドレスを基にＰ２ＰＧＷ５への接続を行う（図８のａ３）。
【００４３】
受信端末３はＰ２ＰＧＷ５に接続され、ユーザによって契約ＩＤやパスワードが入力されると、それら契約ＩＤやパスワードを配信開始要求とともにＴＣＰ（ＴｒａｎｓｍｉｓｓｉｏｎＣｏｎｔｒｏｌ  Ｐｒｏｔｏｃｏｌ）にてＰ２ＰＧＷ５に送信する（図８のａ４）。
【００４４】
Ｐ２ＰＧＷ５では配信管理部１２が受信端末３から受信した契約ＩＤやパスワードを用いて受信端末３のユーザの認証を行い（図８のａ５）、契約ＩＤやパスワードが予め蓄積された情報と一致しなければ、ＴＣＰにて配信不可を受信端末３に通知する（図８のａ６）。また、配信管理部１２は契約ＩＤやパスワードが予め蓄積された情報と一致すると、登録した受信端末３や映像配信装置６の電話番号を検索する。
【００４５】
Ｐ２ＰＧＷ５は検索した電話番号を基に、ＳＭＳにて配信開始要求を含むショートメッセージをＳＭＳ送信部１３から電話網２００を介して映像配信装置６に送信する（図８のａ７）。尚、ショートメッセージにはＰ２ＰＧＷ５のグローバルＩＰアドレスが付加されている。
【００４６】
映像配信装置６はＰ２ＰＧＷ５からショートメッセージを受信すると（図８のａ８）、そのショートメッセージをファイルへ保存するとともに、ＳＭＳ解析部４２にてショートメッセージを解析し（図８のａ９）、上記の配信開始要求及びサーバ装置１のグローバルＩＰアドレスを得る。
【００４７】
映像配信装置６はＰ２ＰＧＷ５のグローバルＩＰアドレスを基に移動体パケット網１００及びＧＧＳＮ２を介してＰ２ＰＧＷ５に接続する（図８のａ１０）。映像配信装置６はＰ２ＰＧＷ５との接続後、ＴＣＰにて配信開始受付をＰ２ＰＧＷ５に送信する（図８のａ１１）。
【００４８】
Ｐ２ＰＧＷ５は映像配信装置６から配信開始受付を受信すると、ＴＣＰにて配信開始応答を受信端末３に送信する（図８のａ１２）。この後、Ｐ２ＰＧＷ５ではデータ中継部１１が配信管理部１２の情報を基に、映像配信装置６からのデータを受信端末３に中継するので、受信端末３と映像配信装置６と間はＰ２ＰＧＷ５を介してピアツーピア接続された状態となる。
【００４９】
このように、本実施例では、新規に通信回線を構築することなく、既存の移動体パケット網１００を利用した映像データのリアルタイム配信を行うことができる。つまり、本実施例では、端末間で画像等のデータの授受をリアルタイムに行うことができる。
【００５０】
これによって、本実施例では、新規に通信回線を構築する必要がないので、コストの削減を図ることができる。よって、本実施例では、受信端末３をＰＤＡや携帯電話機等とすることで、場所を選ぶことなく、映像の受信や遠隔監視が可能となる。
【実施例２】
【００５１】
次に、本発明の他の実施例について図面を参照して説明する。図９は本発明の他の実施例による映像配信装置の構成を示すブロック図である。図９において、映像配信装置７は認証部７１を配置した以外は図７に示す本発明の一実施例による映像配信装置６と同様の構成となっており、同一構成要素には同一符号を付してある。また、その同一構成要素の動作は本発明の実施の形態と同様である。
【００５２】
認証部７１はＰ２ＰＧＷ５によって受信端末３のユーザに通知された契約ＩＤやパスワードを予め保持しており、その情報とＰ２ＰＧＷ５からＳＭＳにて送られてくる配信開始要求に付加された契約ＩＤやパスワードとを用いて受信端末３のユーザの認証を行う。このように構成した場合には、上述した配信管理部１２での認証は不要となる。
【００５３】
図１０は本発明の他の実施例による映像配信システムの動作を示すシーケンスチャートである。これら図９及び図１０を参照して本発明の他の実施例による映像配信システムの動作について説明する。
【００５４】
以下、受信端末３からの要求に応答してＰ２ＰＧＷ５が受信端末３と映像配信装置７とをピアツーピア接続する場合の動作について述べる。尚、図８に示す動作はＰ２ＰＧＷ５及び映像配信装置７が記録媒体１４，４６に格納されたプログラムを実行することで実現される。また、受信端末３及びＰ２ＰＧＷ５の構成は上述した本発明の一実施例と同様とする。
【００５５】
受信端末３が映像配信装置７からの映像配信サービスを受けるために端末間で接続する場合（ピアツーピア接続）、まず、Ｐ２ＰＧＷ５には受信端末３や映像配信装置７の電話番号が登録される（図１０のｂ１）。この時、Ｐ２ＰＧＷ５は受信端末３の電話番号に対応する契約ＩＤ（識別情報）やパスワードを生成して受信端末３のユーザに紙媒体等によって通知する（図１０のｂ２）。
【００５６】
受信端末３のユーザが映像配信装置７から映像配信サービスを受けたい場合、受信端末３は移動体パケット網２００及びＧＧＳＮ２を介してＰ２ＰＧＷ５に接続する。この場合、Ｐ２ＰＧＷ５には予めグローバルＩＰアドレスが付与されているので、受信端末３はそのグローバルＩＰアドレスを基にＰ２ＰＧＷ５への接続を行う（図１０のｂ３）。
【００５７】
受信端末３はＰ２ＰＧＷ５に接続され、ユーザによって契約ＩＤやパスワードが入力されると、それら契約ＩＤやパスワードを配信開始要求とともにＴＣＰ（ＴｒａｎｓｍｉｓｓｉｏｎＣｏｎｔｒｏｌ  Ｐｒｏｔｏｃｏｌ）にてＰ２ＰＧＷ５に送信する（図１０のｂ４）。
【００５８】
Ｐ２ＰＧＷ５は受信端末３から受信した契約ＩＤやパスワードを用いて、登録した受信端末３や映像配信装置７の電話番号を検索する。Ｐ２ＰＧＷ５は検索した電話番号を基に、ＳＭＳにて配信開始要求と契約ＩＤやパスワードとを含むショートメッセージをＳＭＳ送信部１３から電話網２００を介して映像配信装置７に送信する（図１０のｂ５）。尚、ショートメッセージにはＰ２ＰＧＷ５のグローバルＩＰアドレスが付加されている。
【００５９】
映像配信装置７はＰ２ＰＧＷ５からショートメッセージを受信すると（図１０のｂ６）、そのショートメッセージをファイルへ保存するとともに、ＳＭＳ解析部４２にてショートメッセージを解析し（図１０のｂ７）、上記の配信開始要求と、サーバ装置１のグローバルＩＰアドレスと、契約ＩＤやパスワードとを得る。
【００６０】
映像配信装置７はショートメッセージから得た契約ＩＤやパスワードを用いて認証部７１にて受信端末３のユーザの認証を行い（図１０のｂ８）、契約ＩＤやパスワードが予め蓄積された情報と一致しなければ、ＴＣＰにて配信不可を、Ｐ２ＰＧＷ５を通して受信端末３に通知する（図１０のｂ９，ｂ１０）。
【００６１】
映像配信装置７は契約ＩＤやパスワードが予め蓄積された情報と一致すると、Ｐ２ＰＧＷ５のグローバルＩＰアドレスを基に移動体パケット網１００及びＧＧＳＮ２を介してＰ２ＰＧＷ５に接続する（図１０のｂ１１）。映像配信装置７はＰ２ＰＧＷ５との接続後、ＴＣＰにて配信開始受付をＰ２ＰＧＷ５に送信する（図１０のｂ１２）。
【００６２】
Ｐ２ＰＧＷ５は映像配信装置７から配信開始受付を受信すると、ＴＣＰにて配信開始応答を受信端末３に送信する（図１０のｂ１３）。この後、Ｐ２ＰＧＷ５ではデータ中継部１１が配信管理部１２の情報を基に、映像配信装置７からのデータを受信端末３に中継するので、受信端末３と映像配信装置７との間はＰ２ＰＧＷ５を介してピアツーピア接続された状態となる。
【００６３】
このように、本実施例では、新規に通信回線を構築することなく、既存の移動体パケット網１００を利用した映像データのリアルタイム配信を行うことができる。これによって、本実施例では、新規に通信回線を構築する必要がないので、コストの削減を図ることができる。よって、本実施例では、受信端末３をＰＤＡや携帯電話機等とすることで、場所を選ぶことなく、映像の受信や遠隔監視が可能となる。
【産業上の利用可能性】
【００６４】
本発明は、単一方向（移動体パケット網からインタネットへの方向、あるいはインタネットから移動体パケット網への方向）でのデータ配信機能として、または複数の受信端末へのデータ配信機能（マルチ端末へのデータ配信機能）として、もしくは異なる移動体パケット網間におけるデータ配信機能としても使用することが可能である。
【００６５】
また、本発明は、上記の映像の配信機能以外にも、静止画の配信機能、音声の配信機能、測定器の測定データの配信機能、テキストデータの配信機能等にも適用可能である。さらに、本発明は、上記のショートメッセージサービス以外にも、ＭＭＳ（Ｍｕｌｔｉｍｅｄｉａ  Ｍｅｓｓａｇｉｎｇ  Ｓｅｒｖｉｃｅ）や電子メールサービス等も利用可能である。
【図面の簡単な説明】
【００６６】
【図１】本発明の実施の形態によるデータ配信システムの構成を示すブロック図である。
【図２】図１のサーバ装置の構成を示すブロック図である。
【図３】図１の受信端末の構成を示すブロック図である。
【図４】図１のデータ配信装置の構成を示すブロック図である。
【図５】本発明の一実施例による映像配信システムの構成を示すブロック図である。
【図６】図５の受信端末の構成を示すブロック図である。
【図７】図５の映像配信装置の構成を示すブロック図である。
【図８】本発明の一実施例による映像配信システムの動作を示すシーケンスチャートである。
【図９】本発明の他の実施例による映像配信装置の構成を示すブロック図である。
【図１０】本発明の他の実施例による映像配信システムの動作を示すシーケンスチャートである。
【符号の説明】
【００６７】
１  サーバ装置
２  ＧＧＳＮ
３  受信端末
４  データ配信装置
５  Ｐ２ＰＧＷ
６，７  映像配信装置
１１  データ中継部
１２  配信管理部
１３  ＳＭＳ送信部
１４，４６  記録媒体
３１，４１  移動体網用ドライバ
３２  データ受信部
３３  データ処理部
３４，４５  ＧＰＲＳ接続／切断部
３５  デコーダ
３６  ディスプレイ
４２  ＳＭＳ解析部
４３  データ送信部
４４  データ配信部
６１  カメラ
６２  エンコーダ
７１  認証部
１００  移動体パケット網
２００  電話網
【図１】
2005094067.tif 000003
【図２】
2005094067.tif 000004
【図３】
2005094067.tif 000005
【図４】
2005094067.tif 000006
【図５】
2005094067.tif 000007
【図６】
2005094067.tif 000008
【図７】
2005094067.tif 000009
【図８】
2005094067.tif 000010
【図９】
2005094067.tif 000011
【図１０】
2005094067.tif 000012